(57)【要約】  複数の第１の繊維又はフィラメント（４）と、複数の第２の繊維又はフィラメント（６）とから形成され、第１の繊維又はフィラメントは、非導電性であり、且つ、電気光学活性材料を有し、第２の繊維又はフィラメントは、導電性であり、２つの第２の繊維間の電圧差が、その間に位置付けられる第１の繊維における色変化をもたらす布（２）。
2007524009.tif 000002
【特許請求の範囲】
【請求項１】
複数の第１の繊維又はフィラメントと、複数の第２の繊維又はフィラメントとから形成され、
前記第１の繊維又はフィラメントは、非導電性であり、且つ、電気光学活性材料を有し、
前記第２の繊維又はフィラメントは、導電性であり、
２つの第２の繊維間の電圧差が、該２つの第２の繊維の間に位置付けられる第１の繊維における色変化をもたらす、布。
【請求項２】
前記第１の繊維又はフィラメントは、前記第２の繊維又はフィラメントと織り交ぜられる請求項１記載の布。
【請求項３】
前記第１の繊維又はフィラメントの第１の複数は、第１の方向に延在し、
前記第２の繊維又はフィラメントの第１の複数は、第２の方向に延在する請求項１又は２記載の布。
【請求項４】
前記第２の方向は、前記第１の方向とは実質的に異なる請求項３記載の布。
【請求項５】
前記第２の繊維又はフィラメントの第２の複数は、第３の方向に延在する請求項１乃至４のうちいずれか一項記載の布。
【請求項６】
前記第３の方向は、前記第１の方向とは実質的に異なる請求項３に従属する場合の請求項５又は請求項３に従属する任意の請求項記載の布。
【請求項７】
前記第２の方向は、前記第３の方向に対して直交する請求項３に従属する場合の請求項５又は請求項３に従属する任意の請求項又は請求項６記載の布。
【請求項８】
前記第１の繊維又はフィラメントの第２の複数は、第４の方向に延在する請求項１乃至７のうちいずれか一項記載の布。
【請求項９】
前記第１の方向は、前記第４の方向に対して直交する請求項３に従属する場合の請求項８又は請求項３に従属する任意の請求項記載の布。
【請求項１０】
１つ以上の前記第２の繊維は、電気光学活性材料を有する請求項１乃至９のうちいずれか一項記載の布。
【請求項１１】
前記複数の第１の繊維は、複数の電気光学活性材料から形成される請求項１乃至１０のうちいずれか一項記載の布。
【請求項１２】
前記布は、織られるか、編まれるか、又はかぎ針編みされる請求項１乃至１１のうちいずれか一項記載の布。
【請求項１３】
前記布は織られ、前記第１の繊維又はフィラメントは、前記第２の繊維又はフィラメントと織り交ぜられる請求項１乃至１２のうちいずれか一項記載の布。
【請求項１４】
請求項１乃至１３のうちいずれか一項記載の布から作られる衣服。
【請求項１５】
布を形成する方法であって、
複数の第１の繊維又はフィラメントを複数の第２の繊維又はフィラメントと織り交ぜる段階を有し、
前記第１の繊維は、非導電性であり、且つ、電気光学材料を有し、
前記第２の繊維は、導電性である、方法。
【請求項１６】
前記第１の繊維又はフィラメントを前記第２の繊維又はフィラメントと織り交ぜる段階は、前記第１の繊維又はフィラメントと前記第２の繊維又はフィラメントを一緒に織る段階を有する請求項１５記載の方法。
【請求項１７】
重なる第２の繊維又はフィラメントの間に電圧差を印加する段階を更に有する請求項１４又は１５記載の方法。
【発明の詳細な説明】
【技術分野】
【０００１】
本発明は、布に係わり、特に、少なくともそのうちの一部が電気光学特性を有するフィラメント又は繊維から形成された布に係る。
【背景技術】
【０００２】
布において色変化又は発光効果を生成するための様々な方法が知られている。
【０００３】
１つの既知の方法及び布は、Ｖｉｓｓｏｎ  ＩＰ  ＬＬＣ社に譲受される特許文献１に開示される。この特許文献１において開示される布は、第１の繊維の組及び第２の繊維の組から形成され、各繊維は、長手方向の導電素子を有する。２組の繊維の組は、接続点のマトリクス構造を形成し、この構造は更に、第１の組の繊維を少なくとも部分的にコーティングする電気光学活性物質を有する。第１の組の繊維の長手方向導電素子と、第２の組の繊維の長手方向導電素子との間に電圧差があり、各組からの繊維は接続点において交わる。第１の組の繊維が第２の組の繊維を交差することにより形成される接続点は、電気光学活性材料をアクティブにし、表示素子を生成する。
【０００４】
特許文献２は、導電糸の織り交ぜられた横糸と、発光ダイオード（ＬＥＤ）繊維の縦糸から形成された発光ダイオード（ＬＥＤ）マトリクスから形成される材料を説明する。発光ダイオード（ＬＥＤ）繊維は、ｐドープされた半導体でコーティングされ、その後に発光ポリマーのｎドープされた半導体でコーティングされる導電コアから形成される。各導電糸は、各ＬＥＤ繊維を１つの位置において物理的及び電気的に結合し、それにより画素のように作動させられうるＬＥＤを形成する。
【０００５】
これらの既存の方法及び布における問題は、既知の布を作るために使用されるこれらの繊維の全ては長手方向導電コア電極を有するということである。一部の繊維は更に、電気光学活性物質を有する。そのような繊維の製造は複雑であり、従って高価である。更に、電気光学活性材料と合わせてコア電極を含む繊維は、比較的厚く且つ堅く、それにより、そのような繊維から布を形成するのに使用する織り込み処理といった任意の処理が複雑となってしまう。
【特許文献１】米国特許出願番号第２００２／０１８７６９７号
【特許文献２】米国特許第６，４９０，４０２号
【発明の開示】
【発明が解決しようとする課題】
【０００６】
本発明は、これらの問題を解決する布、即ち材料を提供することを目的とする。
【課題を解決するための手段】
【０００７】
本発明の第１の面では、複数の第１の繊維又はフィラメントと、複数の第２の繊維又はフィラメントとから形成され、第１の繊維又はフィラメントは、非導電性であり、且つ、電気光学活性材料を有し、第２の繊維又はフィラメントは、導電性であり、２つの第２の繊維間の電圧差が、その間に位置付けられる第１の繊維における色変化をもたらす布を提供する。
【０００８】
本発明により、それぞれ導電性材料から形成される第１の繊維の組と、それぞれ電気光学活性材料から形成される第２の繊維の組とから布を、電気光学活性材料から形成される繊維内に細長い導電コアを組み込む必要なく、形成することが可能である。
【０００９】
従って、そのような布は、既知の同様の布より安い。更に、織る、又は、編むといった布を形成するために使用する任意の処理はあまり複雑ではなく、というのは、コア電極と電気光学活性物質を有する比較的厚く且つ堅い繊維を使用する必要がないからである。
【００１０】
第２の繊維は、更に電気光学活性材料を有してもよい。
【００１１】
本発明の第２の面では、布を形成する方法であって、複数の第１の繊維又はフィラメントを複数の第２の繊維又はフィラメントと織り交ぜる段階を有し、第１の繊維は、非導電性であり、且つ、電気光学材料を有し、第２の繊維は、導電性である方法を提供する。
【００１２】
第１の繊維は、第２の繊維と織り交ぜられるよう織り合わされる、編まれる、又はかぎ針編みされることが好適である。
【００１３】
第１の繊維又はフィラメントの少なくとも第１の複数は、第１の方向に延在し、且つ、第２の方向に延在する第２の繊維又はフィラメントの第１の複数と織り交わる。
【００１４】
第２の繊維又はフィラメントが互いに重なる又は交差する点において第２の繊維又はフィラメントの対間において電圧差が形成される。この電圧差は、第２の繊維又はフィラメントが互いに重なる又は交差する点の付近の第１の繊維の少なくとも一部において、１つ以上のそのような第２の繊維の対間に位置付けられる任意の第１の繊維に色変化をもたらす。
【００１５】
様々な第２の繊維に様々な電圧を印加することにより異なる色変化が、各第１の繊維の様々な部分にもたらされうる。或いは、又は、加えて、１つ以上の第１の繊維は、別の第１の繊維の電気光学活性材料とは異なる電気光学活性材料から形成されうる。
【００１６】
第２の方向は、第１の方向に対して実質的に異なり、それにより、第２の繊維又はフィラメントにより覆い隠される第１の繊維又はフィラメントの度合いを低減することが好適である。
【００１７】
布は、第３の方向に延在する第２の繊維又はフィラメントの第２の複数から形成されることが有利である。これは、導電繊維が２つの方向に延在することを意味する。
【００１８】
第３の方向は、第１の方向及び第２の方向とは実質的に異なることが好適である。このことは、布が、例えば、第２の繊維の第１の複数が繊維の第２の複数と交差し、一方で同時に第２の繊維又はフィラメントにより覆い隠される第１の繊維又はフィラメントの度合いを低減するよう織ることにより、形成されることを可能にする。
【００１９】
第２の方向と第３の方向とは実質的に直交することが有利である。
【００２０】
第１の方向は、第１の方向及び第３の方向と任意の所望の角度を形成しうるが、第１の方向は、第２の方向又は第３の方向と実質的に４５°の角度を形成することが好適である。
【００２１】
第２の方向と第３の方向とが互いに実質的に直交する場合、第１の方向は、第２の方向及び第３の方向のそれぞれと実質的に４５°の角度を形成する。結果として得られる布は、３軸織りパターンとして知られる複数の軸を持って織られた構造を有する。
【００２２】
布は、それぞれ第４の方向に延在する第１の繊維又はフィラメントの第２の複数を有することが有利である。第４の方向は、第１の方向と、第２の方向、及び第３の方向のそれぞれとは異なることが好適である。
【００２３】
第１の方向と第４の方向とは互いに実質的に直交し、第２の方向と第３の方向とは互いに実質的に直交し、第１の方向及び第４の方向は、第２の方向及び第３の方向とそれぞれ実質的に４５°の角度を形成することが有利である。このような構成は、４軸織りパターンを結果としてもたらす。
【００２４】
本発明により、導電性の第２の繊維によって繊維間に電界を形成することにより１つ以上の第１の繊維において局所的な色変化がもたらされる布、特に織布を生成することが可能である。このことは、布における局所的な色変化を可能にする。これは、内部に導電素子が組み込まれた色変化繊維を形成する必要なく実現可能である。
【００２５】
導電性の第２の繊維により第１の繊維に亘って印加される最大電圧範囲は、第１の繊維を形成する光学活性材料と、第１の繊維の幾何学に依存する。
【００２６】
一部の場合において、第１の繊維に亘って交流電圧を、その第１の繊維を形成する光学活性材料の性質により印加する必要がある。その他の場合において、第１の繊維を形成する光学活性材料の性質により、第１の繊維に亘って直流電圧を印加する必要がある。
【００２７】
一部の光学活性材料は、「凍った」光学効果を生成するために短い電圧バーストのみがそれらに印加されることを必要とする。そのような光学活性材料の例は、例えば、電気泳動材料といった双安定材料である。
【００２８】
第１の繊維又はフィラメント、及び第２の繊維又はフィラメントは、任意の所望の寸法を有しうるが、一般的には、１０乃至１０００μｍの範囲内の直径を有する。
【００２９】
第１の繊維又はフィラメント及び第２の繊維又はフィラメントは、任意の所望の断面を有しうる。例えば、これらの繊維又はフィラメントは、円形の断面を有しうる。或いは、第１の繊維又はフィラメント、又は、第２の繊維又はフィラメントのいずれかは、実質的に矩形の断面を有する実質的に矩形のリボン状の繊維を有しうる。
【００３０】
第１の繊維又はフィラメントが、例えば、実質的に矩形の断面を有するリボン状繊維を有することは特に有利でありうる。
【００３１】
第１の繊維又はフィラメントを形成する電気光学活性材料は、任意の適切な形状を取り、また、例えば、液晶、ポリマーＬＥＤ材料、電気ルミネセント材料、電気泳動材料、事実上、色素細胞を模倣する光変調材料を含みうる。
【発明を実施するための最良の形態】
【００３２】
本発明を、添付図面を参照しながら例示的にのみ更に説明する。
【００３３】
図１を参照するに、本発明の第１の実施例による布を参照番号２として全体的に示す。
【００３４】
布は、複数の第１の繊維４と複数の第２の繊維６から形成される。第１の繊維４のそれぞれは、透明又は半透明コア内に閉じ込められた電気光学活性物質から形成される。
【００３５】
全ての第１の繊維は、同じ物質から形成されてもよい。或いは、１つ以上の第１の繊維は、他の第１の繊維を形成する電気光学活性材料とは異なる電気光学活性材料から形成されてもよい。第２の繊維６のそれぞれは、導電材料から形成される。第１の繊維４は第２の繊維６と織り交ぜられる。
【００３６】
布２は、この例では、水平方向に延在するよう示される第２の繊維の第１の複数８と、この例では垂直方向に延在するよう示される第２の繊維の第２の複数１０から形成される。第２の繊維の第１の複数８は、従って、第２の繊維の第２の複数１０が延在する方向と実質的に直交する方向に延在する。この例では、第１の繊維４は、各複数８、１０の第２の繊維が延在する方向に対して約４５°の角度を形成する方向に延在する。
【００３７】
第２の繊維の第１の複数８のそれぞれは、第２の繊維の第２の複数１０のそれぞれと、接続点１２において重なり、そして、第１の繊維４は、図１に示すように接続点１２を通過する。
【００３８】
第２の繊維８のうちの１つと、第２の繊維１０のうちの１つとの間に電圧差を加え、接続点１２のうちの１つにおいて局所的な電界が生じる。その結果、この接続点を通過する第１の繊維４は、その接続点の付近における色を変化させる。この例では、第２の繊維８の１つは、それに電圧＋Ｖが印加され、第２の繊維１０の１つは、それに電圧＋Ｖが印加される。
【００３９】
第２の繊維８のそれぞれと、第２の繊維１０のそれぞれとの間に電圧差を印加することにより、各第１の繊維４は、各接続点の付近における色を変化させるようにされる。
【００４０】
図１に示す布の織りパターンは、３軸織りパターンである。
【００４１】
次に、図２を参照するに、本発明の第２の実施例による布を参照番号２０として全体的に示す。布２０は、図１に示す布２と類似し、従って、対応する部分には、参照を容易にするために対応する参照番号を付している。
【００４２】
この実施例では、第１の繊維は、第１の繊維の第１の複数１４と、第１の繊維の第２の複数１６を有する。
【００４３】
第１の繊維は、従って、２つの方向に延在する。この例では、互いに実質的に直交する方向に延在する。第１の繊維の第１の複数１４は、第１の方向に延在し、第２の繊維の第１の複数１８は、第２の方向に延在し、第２の繊維の第２の複数１０は、第３の方向に延在し、第１の繊維の第２の複数１６は、第４の方向に延在する。第１の方向、第２の方向、第３の方向、及び第４の方向のそれぞれは互いに異なり、この例では、第１の方向と第４の方向とは、互いに対して実質的に直交し、第２の方向と第３の方向とは、互いに対して実質的に直交する。
【００４４】
この例では、第２の方向及び第３の方向は、それぞれ、水平方向及び垂直方向に延在するよう示され、また、第１の方向及び第４の方向は、それぞれ、第２の方向及び第３の方向のそれぞれと約４５°の角度を形成する。
【００４５】
図４に示す布は、４軸織りパターンを有する。
【００４６】
本発明による布は、衣服、カーテン、カーペット、壁紙、室内用装飾用カーテン等の広い範囲の様々な製品を形成するのに使用されうる。
【図面の簡単な説明】
【００４７】
【図１】３軸織りパターンを示す本発明の第１の実施例を示す図である。
【図２】４軸織りパターンを示す本発明の第２の実施例を示す図である。
【図１】
2007524009.tif 000003
【図２】
2007524009.tif 000004
【国際調査報告】
2007524009.tif 000005
2007524009.tif 000006
2007524009.tif 000007